(57)【要約】【課題】過電流保護回路の誤動作を防ぎ、安定して電源電圧を供給する。【解決手段】通電中にケーブルが接続されると、インラッシュ電流により過電流保護回路が動作し、定電圧電源部３１の電流が制限されてＬＮＢ１１への供給電圧が低下する。供給電圧が基準電圧以下となると、判別回路３６で過電流保護回路の誤動作と判別され、判別結果が微分回路３７を介してＡＮＤ回路３８に供給される。ＡＮＤ回路３８で電源制御信号と判別結果とに基づく制御信号が生成され、切替制御部３５の制御により、切替部３３の入力端子が定電流電源部３２側に切り替えられる。そして、定電流電源部３２の電流によりコンデンサ１２が充電され、ＬＮＢ１１の電圧が所定の電圧に達したことが出力電圧検出部３４で検出されると、切替制御部３５の制御により切替部３３の定電圧電源部３１側の入力端子が選択され、定電圧電源部３１からＬＮＢ１１に電圧が供給される。【選択図】図１
2008262250.tif 000002
【特許請求の範囲】
【請求項１】
外部の機器に供給される過電流を検出した際に電流を制限して電圧を低下させる過電流保護回路を備え、所定の電圧を出力する定電圧電源部と、
所定の電流を出力する定電流電源部と、
上記定電圧電源部の出力と上記定電流電源部の出力とを切り替えて出力する切替部と、
上記過電流保護回路が誤動作しているか否かを判別する判別部と、
上記切替部から出力される電圧を検出する出力検出部と、
上記判別結果または上記検出結果に基づき上記切替部の出力の切り替えを制御する切替制御部と
を有し、
上記切替制御部は、
電源のＯＮ／ＯＦＦを制御する電源制御信号に基づき電源がＯＮとされた場合には、上記定電流電源部の出力が出力されるように上記切替部を切り替え、
上記検出結果に基づき上記出力検出部で検出される電圧が所定電圧に達した場合には、上記定電圧電源部の出力が出力されるように上記切替部を切り替え、
上記電源制御信号に基づき電源がＯＮとされている場合に、上記定電圧電源部から上記外部の機器に対する電源供給ラインに流れるインラッシュ電流により上記過電流保護回路が誤動作した場合には、上記判別結果に基づき上記定電流電源部の出力が出力されるように上記切替部を切り替える
ことを特徴とする電源回路。
【請求項２】
請求項１に記載の電源回路において、
上記判別部は、
上記切替部から出力される電圧が所定電圧以下である場合には、上記過電流保護回路が誤動作していると判別する
ことを特徴とする電源回路。
【請求項３】
請求項１に記載の電源回路において、
上記定電圧電源部は、
上記過電流保護回路が誤動作した際に誤動作を示す情報が出力され、
上記判別部は、
上記誤動作を示す情報に基づき上記過電流保護回路が誤動作しているか否かを判別する
ことを特徴とする電源回路。
【請求項４】
衛星デジタルテレビジョン放送の電波を受信するアンテナと、
電源ラインにコンデンサが設けられ、上記受信した電波の周波数を変換する周波数変換部と、
上記周波数変換された電波から所定の周波数の変調信号を選局し、該変調信号を復調してトランスポートストリームを出力するチューナと、
上記トランスポートストリームからビデオストリームを取り出し、該ビデオストリームを復号して映像信号を出力するデコーダと、
上記映像信号に対して所定の画像処理を施す映像信号処理部と、
上記周波数変換部に対して電力を供給する電源部と
を有し、
上記電源部は、
上記周波数変換部に供給される過電流を検出した際に電流を制限して電圧を低下させる過電流保護回路を備え、所定の電圧を出力する定電圧電源部と、
所定の電流を出力する定電流電源部と、
上記定電圧電源部の出力と上記定電流電源部の出力とを切り替えて出力する切替部と、
上記過電流保護回路が誤動作しているか否かを判別する判別部と、
上記切替部から出力される電圧を検出する出力検出部と、
上記判別結果または上記検出結果に基づき上記切替部の出力の切り替えを制御する切替制御部と
からなり、
上記切替制御部は、
電源のＯＮ／ＯＦＦを制御する電源制御信号に基づき電源がＯＮとされた場合には、上記定電流電源部の出力が出力されるように上記切替部を切り替え、
上記検出結果に基づき上記出力検出部で検出される電圧が所定電圧に達した場合には、上記定電圧電源部の出力が出力されるように上記切替部を切り替え、
上記電源制御信号に基づき電源がＯＮとされている場合に上記周波数変換部が上記チューナに接続され、上記定電圧電源部から上記周波数変換部に流れるインラッシュ電流により上記過電流保護回路が誤動作した場合には、上記判別結果に基づき上記定電流電源部の出力が出力されるように上記切替部を切り替える
ことを特徴とする受信装置。
【請求項５】
外部の機器に供給される過電流を検出した際に電流を制限して電圧を低下させる過電流保護回路を備え、所定の電圧を出力する定電圧電源部の出力と、所定の電流を出力する定電流電源部の出力とを切替部で切り替えて出力する切替ステップと、
上記過電流保護回路が誤動作しているか否かを判別する判別ステップと、
上記切替部から出力される電圧を検出する出力検出ステップと、
電源のＯＮ／ＯＦＦを制御する電源制御信号に基づき電源がＯＮとされた場合には、上記定電流電源部の出力が出力され、
上記検出結果に基づき上記出力検出ステップで検出される電圧が所定電圧に達した場合には、上記定電圧電源部の出力が出力され、
上記電源制御信号に基づき電源がＯＮとされている場合に、上記定電圧電源部から上記外部の機器に対する電源供給ラインに流れるインラッシュ電流により上記過電流保護回路が誤動作した場合には、上記判別結果に基づき上記定電流電源部の出力が出力されるように上記切替部の切り替えを制御する切替制御ステップと
からなることを特徴とする制御方法。
【発明の詳細な説明】
【技術分野】
【０００１】
この発明は、電力を安定して供給する電源回路、受信装置および制御方法に関する。
【背景技術】
【０００２】
近年、静止衛星を用いて放送されるＢＳ（Broadcasting Satellite）ディジタル放送やＣＳ（Communication Satellite）ディジタル放送などの衛星ディジタル放送が普及し、衛星ディジタル放送を受信可能な受信装置を搭載した薄型テレビジョン受像機や、ハードディスクを記録媒体として用いた記録再生装置などが広く販売されている。
【０００３】
従来の衛星ディジタル放送を受信可能な従来の受信装置の一例の構成について、図４を参照して概略的に説明する。受信装置１００は、アンテナケーブルを介して外部のパラボラアンテナ１１０およびＬＮＢ（Low Noise Block Down-Converter：低雑音コンバータ）１１１が接続されるチューナ１２０、デコーダ１１３、映像信号処理部１１４、表示部１１５、および、ＬＮＢ１１１に電力を供給するためのＬＮＢ電源部１３０を備える。
【０００４】
放送設備から送信された１２ＧＨｚ帯の衛星ディジタル放送の電波が、パラボラアンテナ１１０で受信されてＬＮＢ１１１で１ＧＨｚ帯のＢＳ−ＩＦ（BS - Intermediate Frequency）信号に周波数変換され、チューナ１２０の入力端子１２１に供給される。
【０００５】
ＢＳ−ＩＦ信号は、チューナ１２０に設けられたコンデンサ１２２で直流成分が遮断され、ＲＦ増幅部１２３で増幅された後、ＩＦ部１２４に供給される。そして、ＰＬＬシンセサイザからなる選局用のディジタルチューニング回路を用いたＩＦ部１２４で、ベースバンドのＩＱ信号に周波数変換され、ＰＳＫ（Phase Shift Keying）復調部１２５で誤り訂正処理などを含めた復調処理が施され、ＭＰＥＧ−２（Moving Picture Experts Group-2）方式によるトランスポートストリーム（以下、ＴＳと適宜称する）が出力される。
【０００６】
ＴＳは、デコーダ１１３でスクランブルを解除するための処理などが施され、さらに多重されたＴＳの中から取り出されたビデオストリームに対して復号処理が施され、映像信号が出力される。そして、映像信号処理部１１４で輝度やコントラストを調整する処理などの所定の信号処理が施され、表示部１１５で表示される。
【０００７】
また、チューナ１２０には、後述するＬＮＢ電源部１３０が接続され、ＬＮＢ１１１に対する電力が供給されている。ＬＮＢ電源部１３０から供給された電力は、チョークコイル１２６を介して信号ラインに重畳され、入力端子１２１およびアンテナケーブルを介してＬＮＢ１１１に供給される。すなわち、ＬＮＢ１１１からチューナ１２０までの信号ラインは、電源ラインを兼ねており、チョークコイル１２６によりＬＮＢ電源部１３０側に高周波の信号が供給されないようにされている。また、コンデンサ１２２によりＲＦ増幅部１２３側に直流の電力が供給されないようにされている。
【０００８】
電力が重畳される信号ラインには、供給電圧を安定させるためのコンデンサ１１２が設けられており、ＬＮＢ電源部１３０の電源がＯＮとなった場合に、ＬＮＢ電源部１３０から供給される電力によってコンデンサ１１２が充電される。
【０００９】
ＬＮＢ電源部１３０は、定電圧電源部１３１、定電流電源部１３２、切替部１３３、供給電圧検出部１３４および切替制御部１３５を備え、チューナ１２０を介してＬＮＢ１１１へ電力を供給する。定電圧電源部１３１は、所定電圧、例えば１５．５Ｖ程度の直流電圧を発生させ、切替部１３３の一方の入力端子に供給する。また、定電圧電源部１３１には、図示しないが過電流保護回路が設けられており、過電流を検出した場合に電流を制限する。定電流電源部１３２は、所定電流、例えば６００ｍＡ程度の直流電流を発生させ、切替部１３３の他方の入力端子に供給する。
【００１０】
切替部１３３は、一方の入力端子に供給された定電圧電源部１３１からの出力と、他方の入力端子に供給された定電流電源部１３２からの出力とを、後述する切替制御部１３５の制御に基づき切り替えてＬＮＢ１１１に供給する。
【００１１】
供給電圧検出部１３４は、ＬＮＢ１１１に供給される電圧を所定時間毎に検出し、検出結果に応じて切替制御部１３５を制御するための制御信号を出力する。例えば、検出された電圧が１５．５Ｖの９０％以上である場合には、“Ｈ（ハイ）”である制御信号を出力し、１５．５Ｖの９０％未満である場合には、“Ｌ（ロー）”である制御信号を出力する。出力された制御信号は、切替制御部１３５に供給される。
【００１２】
切替制御部１３５は、ＬＮＢ電源部１３０の電源のＯＮ／ＯＦＦ状態を示す電源制御信号や、供給電圧検出部１３４から供給された制御信号に基づき、切替部１３３の入力端子の切り替えを制御する。例えば、切替制御部１３５は、供給電圧検出部１３４からの制御信号が“Ｈ”である場合に、切替部１３３の入力端子を定電圧電源部１３１側に切り替え、“Ｌ”である場合に、切替部１３３の入力端子を定電流電源部１３２側に切り替えるように制御する。
【００１３】
また、例えば、切替制御部１３５は、電源制御信号が“Ｈ”である場合に、切替部１３３の入力端子を定電流電源部１３２側に切り替え、“Ｌ”である場合に、切替部１３３の入力端子を定電圧電源部１３１側に切り替えるように制御する。
【００１４】
定電圧電源部１３１には、過電流による回路や装置の故障を防ぐための過電流保護回路が設けられている。過電流保護回路としては、例えば、図５に示すような垂下特性を有する回路がある。この垂下特性は、一般に、フの字特性と呼ばれ、所定以上の電流を検出した際に電流を制限することによって供給電圧を低下させ、部品の故障や異常を防ぐようにされている。フの字特性における電流制限値や電流制限カーブの度合は、目的や用途に応じて過電流保護回路を構成する部品を選択することによって決定することができる。図５に示す例では、電流を制限した際の発熱量を抑え、小型ＩＣパッケージの定電圧電源部に適用可能なように、電流制限カーブを急峻なものとしたフの字特性を示している。
【００１５】
例えば、定常動作時における定電圧電源部１３１からの供給電圧が１５．５Ｖ程度であり、消費電流が１５０ｍＡ程度であるＬＮＢ１１１を用いた場合、定常動作時の動作点は、約１００Ωの負荷直線との交点Ａとなる。このような場合に過電流を検出すると、フの字特性に基づき電流が制限されるため、動作点が交点Ｂとなり、定電圧電源部１３１からの供給電圧が５Ｖ程度に低下する。
【００１６】
ところで、例えば、家庭内で複数の受信装置を用いて衛星ディジタル放送を受信しようとする場合には、通常、パラボラアンテナ１１０に設けられたＬＮＢ１１１から出力されたＢＳ−ＩＦ信号を増幅するブースタ機器を用いて、複数の受信装置に信号を分配するようにしている。また、衛星ディジタル放送の他に地上放送などの信号を受信する際には、ＵＨＦ／ＶＨＦ（Very High Frequency / Ultra High Frequency）信号を重畳する混合器などを用いる場合がある。ブースタ機器や混合器などの他の機器を使用する場合には、受信装置１００内に設けられたＬＮＢ電源部１３０からＬＮＢ１１１に対して供給される電力を、ＬＮＢ１１１だけでなくブースタ機器や混合器に供給する必要がある。
【００１７】
具体的には、例えば、消費電流が１５０ｍＡ程度であるブースタ機器や混合器と上述したＬＮＢ１１１とを使用した場合には、動作点が５０Ωの負荷直線との交点Ｃとなる。このような場合に過電流を検出すると、フの字特性に基づき電流が制限されるため、動作点が交点Ｄとなり、定電圧電源部からの供給電圧が２Ｖ程度に低下する。
【００１８】
このように、上述したフの字特性を用いて過電流を検出する過電流検出回路が下記の特許文献１に記載されている。
【００１９】
【特許文献１】特開平８−１１５１３５号公報
【発明の開示】
【発明が解決しようとする課題】
【００２０】
ここで、受信装置１００が通電中にアンテナケーブルが接続された場合の動作について考える。通電中にアンテナケーブルが接続された場合には、電源ラインに接続されたコンデンサ１１２を充電するためのインラッシュ電流が瞬間的に流れる。
【００２１】
最近のＬＮＢ１１１に接続されたアンテナケーブルの電源ラインには、一般的に、コンデンサ１１２として１０μＦ程度の低容量のコンデンサが接続されている。通電中にアンテナケーブルが接続されると、コンデンサ１１２を充電するための電源ラインにインラッシュ電流が流れるが、コンデンサ１１２の容量が低いため、定電圧電源１３１側が動作している定常時であっても過電流保護回路が動作するような大きなインラッシュ電流が流れることはない。
【００２２】
一方、衛星ディジタル放送が開始される以前のパラボラアンテナや、ブースタ機器や混合器などの他の機器の電源ラインには、コンデンサ１１２として４７μＦ〜４７０μＦ程度の大容量コンデンサが接続されている場合がある。このような場合において、通電中にアンテナケーブルが接続されると、コンデンサ１１２を充電するための大きなインラッシュ電流が電源ラインに瞬間的に流れる。そのため、定電圧電源部１３１側が動作している定常時には、インラッシュ電流を誤って過電流と検出し、過電流保護回路が動作してしまう。
【００２３】
コンデンサ１１２として大容量のコンデンサが用いられている場合に過電流保護回路が動作すると、図５に示すように、フの字特性に基づき電流が制限され、動作点が交点Ｂや交点Ｄとなる。そのため、過電流保護回路動作後にＬＮＢ１１１に対して供給される電圧が低下してしまう。
【００２４】
この場合、図６に示すように、インラッシュ電流が急激に流れることにより過電流保護回路が動作して供給電圧が低下した後、定電圧電源部１３１によりコンデンサ１１２に対する再充電が行われ、ＬＮＢ１１１に対して電圧が供給されるが、動作点が適正な電圧よりも低い電圧で安定してしまい、適正な電圧に復帰することができないため、定電圧電源部１３１は、ＬＮＢ１１１を動作させるために必要な電圧を供給することができない。
【００２５】
ＬＮＢ１１１やブースタ機器への供給電圧を適正な電圧にするためには、ＬＮＢ電源部１３０の電源を一旦ＯＦＦにして、再度電源をＯＮにする必要がある。
【００２６】
このように、電源ラインに接続されたコンデンサ１１２の容量値が大きい場合には、通電中にアンテナケーブルを接続した際に電源ラインを流れるインラッシュ電流が大きくなる。そのため、インラッシュ電流が電流制限値を超えて流れることにより過電流保護回路が誤動作し、ＬＮＢ１１１やブースタ機器などを動作させるための適正な電圧を供給することができなくなってしまうという問題点があった。
【００２７】
この問題を解決するために、例えば、大きなインラッシュ電流が流れた場合であっても、過電流保護回路が誤動作することがないように、フの字特性の電流制限値を大きくする方法や、電流制限カーブを緩やかにする方法が考えられる。この場合、負荷がショートした場合の発熱量が増大するが、大きな放熱板を設けることにより発熱の影響を低減することができる。
【００２８】
しかしながら、近年では、受信装置に対して薄型化や小型化が要求されており、受信装置を構成する全ての回路部品に対して小型化が要求されているため、ＬＮＢ電源部に大きな放熱板を設けることが困難である。
【００２９】
したがって、この発明の目的は、通電中にアンテナケーブルを接続してインラッシュ電流が流れる場合であっても、インラッシュ電流による過電流保護回路の誤動作を防ぎ、安定して電源電圧を供給することができる電源回路、受信装置および制御方法を提供することにある。
【課題を解決するための手段】
【００３０】
上述した課題を解決するために、第１の発明は、外部の機器に供給される過電流を検出した際に電流を制限して電圧を低下させる過電流保護回路を備え、所定の電圧を出力する定電圧電源部と、所定の電流を出力する定電流電源部と、定電圧電源部の出力と定電流電源部の出力とを切り替えて出力する切替部と、過電流保護回路が誤動作しているか否かを判別する判別部と、切替部から出力される電圧を検出する出力検出部と、判別結果または検出結果に基づき切替部の出力の切り替えを制御する切替制御部とを有し、切替制御部は、電源のＯＮ／ＯＦＦを制御する電源制御信号に基づき電源がＯＮとされた場合には、定電流電源部の出力が出力されるように切替部を切り替え、検出結果に基づき出力検出部で検出される電圧が所定電圧に達した場合には、定電圧電源部の出力が出力されるように切替部を切り替え、電源制御信号に基づき電源がＯＮとされている場合に、定電圧電源部から外部の機器に対する電源供給ラインに流れるインラッシュ電流により過電流保護回路が誤動作した場合には、判別結果に基づき定電流電源部の出力が出力されるように切替部を切り替えることを特徴とする電源回路である。
【００３１】
また、第２の発明は、衛星デジタルテレビジョン放送の電波を受信するアンテナと、電源ラインにコンデンサが設けられ、受信した電波の周波数を変換する周波数変換部と、周波数変換された電波から所定の周波数の変調信号を選局し、変調信号を復調してトランスポートストリームを出力するチューナと、トランスポートストリームからビデオストリームを取り出し、ビデオストリームを復号して映像信号を出力するデコーダと、映像信号に対して所定の画像処理を施す映像信号処理部と、周波数変換部に対して電力を供給する電源部とを有し、電源部は、周波数変換部に供給される過電流を検出した際に電流を制限して電圧を低下させる過電流保護回路を備え、所定の電圧を出力する定電圧電源部と、所定の電流を出力する定電流電源部と、定電圧電源部の出力と定電流電源部の出力とを切り替えて出力する切替部と、過電流保護回路が誤動作しているか否かを判別する判別部と、切替部から出力される電圧を検出する出力検出部と、判別結果または検出結果に基づき切替部の出力の切り替えを制御する切替制御部とからなり、切替制御部は、電源のＯＮ／ＯＦＦを制御する電源制御信号に基づき電源がＯＮとされた場合には、定電流電源部の出力が出力されるように切替部を切り替え、検出結果に基づき出力検出部で検出される電圧が所定電圧に達した場合には、定電圧電源部の出力が出力されるように切替部を切り替え、電源制御信号に基づき電源がＯＮとされている場合に周波数変換部がチューナに接続され、定電圧電源部から周波数変換部に流れるインラッシュ電流により過電流保護回路が誤動作した場合には、判別結果に基づき定電流電源部の出力が出力されるように切替部を切り替えることを特徴とする受信装置である。
【００３２】
また、第３の発明は、外部の機器に供給される過電流を検出した際に電流を制限して電圧を低下させる過電流保護回路を備え、所定の電圧を出力する定電圧電源部の出力と、所定の電流を出力する定電流電源部の出力とを切替部で切り替えて出力する切替ステップと、過電流保護回路が誤動作しているか否かを判別する判別ステップと、切替部から出力される電圧を検出する出力検出ステップと、電源のＯＮ／ＯＦＦを制御する電源制御信号に基づき電源がＯＮとされた場合には、定電流電源部の出力が出力され、検出結果に基づき出力検出ステップで検出される電圧が所定電圧に達した場合には、定電圧電源部の出力が出力され、電源制御信号に基づき電源がＯＮとされている場合に、定電圧電源部から外部の機器に対する電源供給ラインに流れるインラッシュ電流により過電流保護回路が誤動作した場合には、判別結果に基づき定電流電源部の出力が出力されるように切替部の切り替えを制御する切替制御ステップとからなることを特徴とする制御方法である。
【００３３】
上述したように、第１、第２および第３の発明では、外部の機器に供給される過電流を検出した際に電流を制限して電圧を低下させる過電流保護回路を備え、所定の電圧を出力する定電圧電源部の出力と、所定の電流を出力する定電流電源部の出力とを切替部で切り替えて出力する切替ステップと、過電流保護回路が誤動作しているか否かを判別する判別ステップと、切替部から出力される電圧を検出する出力検出ステップと、電源のＯＮ／ＯＦＦを制御する電源制御信号に基づき電源がＯＮとされた場合には、定電流電源部の出力が出力され、検出結果に基づき出力検出ステップで検出される電圧が所定電圧に達した場合には、定電圧電源部の出力が出力され、電源制御信号に基づき電源がＯＮとされている場合に、定電圧電源部から外部の機器に対する電源供給ラインに流れるインラッシュ電流により過電流保護回路が誤動作した場合には、判別結果に基づき定電流電源部の出力が出力されるように切替部の切り替えを制御するようにしているため、過電流保護回路が誤動作した場合には、外部の機器に電力を供給する電源部を定電流電源部に切り替え、供給電圧を適正な電圧に復帰させることができる。
【発明の効果】
【００３４】
この発明は、過電流保護回路が動作することによって供給電圧が低下したことを検出し、検出結果に基づき過電流保護回路の動作が誤動作であるか否かを判別し、判別結果に基づき切替部を制御して定電流電源部側の入力端子に切り替えるようにしているため、インラッシュ電流が流れることによる過電流保護回路の誤動作を防ぎ、供給電圧を適正な電圧に復帰させ、安定した電力を供給することができるという効果がある。
【発明を実施するための最良の形態】
【００３５】
以下、この発明の実施の一形態による受信装置の一例の構成について、図１を参照して説明する。なお、ここでは、ＢＳ（Broadcasting Satellite）ディジタル放送を受信可能な受信装置を例にとって説明する。受信装置１は、主に、アンテナケーブルを介して接続される外部のパラボラアンテナ１０およびＬＮＢ（Low Noise Block Down-Converter：低雑音コンバータ）１１が接続されるチューナ２０、デコーダ１３、映像信号処理部１４、表示部１５、および、ＬＮＢ１１に電力を供給するためのＬＮＢ電源部３０を備える。
【００３６】
放送設備から送信された１２ＧＨｚ帯の衛星ディジタル放送の電波がパラボラアンテナ１０で受信され、ＬＮＢ１１に供給される。ＬＮＢ１１は、供給された１２ＧＨｚ帯の衛星ディジタル放送の電波を１ＧＨｚ帯のＢＳ−ＩＦ（BS - Intermediate Frequency）信号に周波数変換し、チューナ２０の入力端子２１に供給する。
【００３７】
チューナ２０は、入力端子２１に入力されたＢＳ−ＩＦ信号をコンデンサ２２で直流成分を遮断し、ＲＦ増幅部２３で増幅した後、ＩＦ部２４に供給する。ＩＦ部２４は、受け取ったＢＳ−ＩＦ信号を、ＰＬＬ（Phase Locked Loop）シンセサイザからなる選局用のディジタルチューニング回路を用いてベースバンドのＩＱ信号に周波数変換し、ＰＳＫ（Phase Shift Keying）復調部２５に供給する。ＰＳＫ復調部２５は、ＩＱ信号に対して誤り訂正処理などを含めた復調処理を施し、ＭＰＥＧ−２（Moving Picture Experts Group-2）方式によるトランスポートストリーム（以下、ＴＳと適宜称する）を出力し、デコーダ１３に供給する。
【００３８】
デコーダ１３は、ＴＳに対してスクランブルを解除するための処理などを施し、さらに多重されたＴＳの中から必要なビデオストリームを取り出して復号処理を施し、映像信号を出力する。映像信号処理部１４は、映像信号に対して輝度やコントラストを調整する処理などの所定の信号処理を施し、表示部１５に供給して表示される。表示部１５としては、例えばＬＣＤ（Liquid Crystal Display）やＰＤＰ（Plasma Display Panel）が用いられる。
【００３９】
また、チューナ２０には、後述するＬＮＢ電源部３０が接続され、ＬＮＢ１１に対する電力が供給されている。ＬＮＢ電源部３０から供給された電力は、チューナ２０に設けられたチョークコイル２６を介して信号ラインに重畳され、入力端子２１およびアンテナケーブルを介してＬＮＢ１１に供給される。すなわち、ＬＮＢ１１からチューナ２０までの信号ラインは、電源ラインを兼ねており、チョークコイル２６によりＬＮＢ電源部３０側に高周波の信号が供給されないようにされている。また、コンデンサ２２によりＲＦ増幅部２３側に直流の電力が供給されないようにされている。
【００４０】
電力が重畳される信号ラインには、電圧を安定させるためのコンデンサ１２が設けられており、ＬＮＢ電源部３０の電源がＯＮとなった場合に、ＬＮＢ電源部３０から供給される電力によってコンデンサ１２が充電される。
【００４１】
ＬＮＢ電源部３０は、定電圧電源部３１、定電流電源部３２、切替部３３、出力電圧検出部３４、切替制御部３５、判別部３６、微分回路３７およびＡＮＤ回路３８を備え、チューナ２０を介してＬＮＢ１１へ電力を供給する。定電圧電源部３１は、所定電圧の直流電圧を発生させ、切替部３３の一方の入力端子に供給する。なお、この例では、定電圧電源部３１は、ＢＳディジタル放送に対応する１５．５Ｖ程度の電圧を発生させることができるものとする。また、定電圧電源部３１には、図示しないが過電流保護回路が設けられており、過電流を検出した際に定電圧電源部３１から出力される電流を制限し、供給電圧を低下させるようにされている。定電流電源部３２は、定電流の直流電流を発生させ、切替部３３の他方の入力端子に供給する。なお、この例では、定電流電源部３２は、例えば６００ｍＡ程度の電流が発生させることができるものとする。
【００４２】
切替部３３は、一方の入力端子に供給された定電圧電源部３１からの出力と、他方の入力端子に供給された定電流電源部３２からの出力とを、後述する切替制御部３５の制御に基づき切り替えてＬＮＢ１１に供給する。
【００４３】
出力電圧検出部３４は、ＬＮＢ１１に供給される電圧を所定時間毎に検出し、検出結果に応じた制御信号を出力する。例えば、検出された供給電圧が１５．５Ｖの９０％以上である場合には、“Ｈ（ハイ）”である制御信号を出力し、１５．５Ｖの９０％未満である場合には、“Ｌ（ロー）”である制御信号を出力する。出力された制御信号は、切替制御部３５に供給される。
【００４４】
判別部３６は、過電流保護回路が誤動作しているか否かを判別する。過電流保護回路が誤動作しているか否かを判別する方法としては、例えば、ＬＮＢ１１に供給される電圧の低下量に基づく方法がある。判別部３６は、所定の基準電圧が予め設定されており、この基準電圧と供給電圧とを比較することにより過電流保護回路が誤動作しているか否かを判別する。具体的には、例えば、判別部３６はコンパレータからなり、一方の入力端子に所定の基準電圧が入力され、他方の入力端子にＬＮＢ１１への供給電圧が入力されている。そして、一方の入力端子に入力されている電圧と他方の入力端子に入力された供給電圧とを比較し、供給電圧が基準電圧以下となった場合には、過電流保護回路が誤動作していると判断し、“Ｌ”である信号を出力し、供給電圧が基準電圧以上の場合には、“Ｈ”である信号を出力し、比較結果を示す信号を微分回路３７に供給する。
【００４５】
微分回路３７は、判別部３６からの出力信号を微分して電圧の変化を瞬間的な情報に変換し、ＡＮＤ回路３８に供給する。ＡＮＤ回路３８は、微分回路３７からの出力信号と、例えば図示されないマイクロコントローラで生成されたＬＮＢ電源部３０の電源のＯＮ／ＯＦＦ状態を示す電源制御信号とに応じた制御信号を切替制御部３５に供給する。なお、電源制御信号は、例えば、ＬＮＢ電源部３０の電源がＯＮの場合に“Ｈ”となり、ＯＦＦの場合に“Ｌ”となる信号である。ＡＮＤ回路３８は、例えば、ＬＮＢ電源部３０の電源がＯＮであり、且つ過電流保護回路が動作している場合、すなわち、電源制御信号および微分回路３７からの出力信号がともに“Ｈ”である場合に、“Ｈ”である制御信号を出力する。また、電源制御信号および微分回路３７からの出力信号の他の組み合わせの場合には、全て“Ｌ”である制御信号を出力する。
【００４６】
切替制御部３５は、出力電圧検出部３４から供給された制御信号や、ＡＮＤ回路３８からの出力信号に基づき、切替部３３の入力端子の切り替えを制御する。例えば、切替制御部３５は、ＡＮＤ回路３８からの出力信号が“Ｈ”である場合に、切替部３３の入力端子を定電流電源部３２側に切り替え、“Ｌ”である場合に、切替部３３の入力端子定電圧電源部３１側に切り替えるように制御する。
【００４７】
また、例えば、切替制御部３５は、出力電圧検出部３４から供給された制御信号が“Ｈ”である場合に、切替部３３の入力端子を定電圧電源部３１側に切り替え、“Ｌ”である場合に、切替部３３の入力端子を定電流電源部３２側に切り替えるように制御する。
【００４８】
次に、この発明の実施の一形態による受信装置１における、ＬＮＢ電源部３０の動作について説明する。例えば、ユーザが図示されない操作部等を操作して衛星ディジタル放送のチャンネルを選択した場合、図２Ａに示すように、電源制御信号が“Ｈ”となり、切替部３３の２つの入力端子のうち定電流電源部３２側の入力端子が選択される。
【００４９】
電源制御信号が“Ｈ”となると、図２Ｂに示すように、定電流電源部３２から６００ｍＡ程度の電流が出力され、コンデンサ１２が充電されるとともに、図２Ｃに示すように、定電流電源部３２からの電流による電圧がＬＮＢ１１に印加される。出力電圧検出部３４において、ＬＮＢ１１に印加される電圧が適正な供給電圧の９０％に達したことが検出されると、出力電圧検出部３４から切替制御部３５に対して“Ｈ”である制御信号が出力され、切替制御部３５の制御に基づき切替部３３の入力端子が切り替えられる。そして、定電圧電源部３１側の入力端子が選択され、定電圧電源部３１からＬＮＢ１１に対して電圧が供給され、ＬＮＢ１１に印加される電圧が適正な供給電圧となる。
【００５０】
なお、ＬＮＢ１１などの負荷がショートした場合などには、定電圧電源部３１から出力される電流が急激に大きくなるため、定電圧電源部３１に設けられた過電流保護回路が過電流を検出し、定電圧電源部３１から出力される電流を制限することにより、ＬＮＢ１１に対する供給電圧を低下させる。
【００５１】
上述のようにしてＬＮＢ１１に対して電圧が供給された受信装置１において、通電中にアンテナケーブルが接続された場合には、インラッシュ電流が流れることにより定電圧電源部３１に設けられた過電流保護回路が動作する。そのため、定電圧電源部３１からの出力電流が制限され、図３Ｃに示すように、ＬＮＢ１１への供給電圧が低下する。
【００５２】
判別回路３６は、ＬＮＢ１１への供給電圧と基準電圧とを比較し、供給電圧が基準電圧以下となったことを検出すると、過電流保護回路が誤動作していると判別し、“Ｌ”である信号を微分回路３７に対して出力する。微分回路３７は、判別回路３６から出力された比較結果を示す信号を微分し、ＡＮＤ回路３８に供給する。ＡＮＤ回路３８は、電源制御信号および微分回路３７からの信号に基づき、図３Ａに示すように、一旦制御信号を“Ｌ”とし、再度“Ｈ”となる制御信号を切替制御部３５に対して出力する。切替制御部３５は、ＡＮＤ回路３８から供給された制御信号に基づき、切替部３３の入力端子を定電流電源部３２側に切り替えるように制御する。すなわち、ＬＮＢ電源部３０の電源を再度ＯＮするように、リセット動作が行われる。
【００５３】
切替制御部３５の制御に基づき切替部３３の入力端子が切り替えられ、定電流電源部３２側の入力端子が選択されると、図３Ｂに示すように、定電流電源部３２から６００ｍＡ程度の電流が出力され、コンデンサ１２が再充電されるとともに、図３Ｃに示すように、定電流電源部３２からの電流による電圧がＬＮＢ１１に印加される。出力電圧検出部３４において、ＬＮＢ１１に供給される電圧が適正な供給電圧の９０％に達したことが検出されると、出力電圧検出部３４から切替制御部３５に対して“Ｈ”である制御信号が出力され、切替制御部３５の制御に基づき切替部３３の入力端子が切り替えられる。そして、定電圧電源部３１側の入力端子が選択され、定電圧電源部３１からＬＮＢ１１に対して電圧が供給され、ＬＮＢ１１に印加される電圧が適正な供給電圧となる。
【００５４】
このように、この発明の実施の一形態では、通電中にアンテナケーブルが接続された場合であっても、供給電圧が低下したことを検出し、検出結果に基づき切替部を制御して定電流電源部側の入力端子に切り替えることにより、インラッシュ電流が流れることによる過電流保護回路の誤動作を防ぎ、供給電圧を適正な電圧に復帰させ、安定した電力を供給することができる。
【００５５】
以上、この発明の実施の一形態について説明したが、この発明は、上述したこの発明の実施の一形態に限定されるものではなく、この発明の要旨を逸脱しない範囲内で様々な変形や応用が可能である。例えば、上述のＢＳディジタル放送に対応した受信装置に限られず、ＣＳディジタル放送に対応した受信装置に対しても適用可能である。
【００５６】
また、上述では、判別部３６は、定電圧電源部３１からの供給電圧の低下を検出することにより過電流保護回路が誤動作しているか否かを判別するように説明したが、これはこの例に限られない。例えば、定電圧電源部３１によっては、過電流保護回路が誤動作したことを示す情報を出力する端子が設けられている場合がある。このような場合、例えば、判別部３６は、この端子の出力電圧を検出し、検出結果に基づき過電流保護回路が誤動作しているか否かを判別するようにしてもよい。
【図面の簡単な説明】
【００５７】
【図１】この発明の実施の一形態による受信装置の一例の構成を示すブロック図である。
【図２】ＬＮＢに供給される電圧および電流の状態を示す略線図である。
【図３】通電中にアンテナケーブルが接続された場合にＬＮＢに供給される電圧および電流の状態を示す略線図である。
【図４】従来の受信装置の一例の構成を示すブロック図である。
【図５】フの字特性の一例を示す略線図である。
【図６】従来の受信装置が通電中にアンテナケーブルが接続された場合の過電流保護回路による動作を説明するための略線図である。
【符号の説明】
【００５８】
１  受信装置
１０  アンテナ
１１  ＬＮＢ
１２  コンデンサ
１３  デコーダ
１４  映像信号処理部
１５  表示部
２０  チューナ
２１  入力端子
３０  ＬＮＢ電源部
３１  定電圧電源部
３２  定電流電源部
３３  切替部
３４  出力電圧検出部
３５  切替制御部
３６  判別部
３７  微分回路
３８  ＡＮＤ回路
【図１】
2008262250.tif 000003
【図２】
2008262250.tif 000004
【図３】
2008262250.tif 000005
【図４】
2008262250.tif 000006
【図５】
2008262250.tif 000007
【図６】
2008262250.tif 000008